(57)【特許請求の範囲】
【請求項１】
光を反射する第１の鏡と、
前記第１の鏡の上方に配置され、前記第１の鏡からの反射光を所定の方向に反射する第２の鏡と、
前記第１の鏡及び前記第２の鏡をそれぞれ角度変更可能に支持する架台と、を備え、
前記第１の鏡には、光の反射面に光が反射しない目印が設けられており、
前記第２の鏡には、前記第１の鏡の反射光における前記目印に対応する暗い像の部分を合わせるための指標が設けられていることを特徴とする電波伝搬路見通し試験装置。
【請求項２】
前記第２の鏡の前記指標は、磨りガラス状の半透明に形成されていることを特徴とする請求項１記載の電波伝搬路見通し試験装置。
【請求項３】
請求項１又は２記載の電波伝搬路見通し試験装置を用いた、第１の地点から第２の地点における電波伝搬路見通し試験方法であって、
第１の地点において、太陽の位置と第２の地点の方向を考慮しながら、前記第１の鏡及び前記第２の鏡の方向を大まかに設定する工程と、
前記第１の鏡を操作して、前記暗い像の部分が前記第２の鏡の前記指標の領域に表示されるように方向調整を行う工程と、
第２の鏡を操作して、前記暗い像の部分が前記指標の領域に表示されている状態を維持しながら、前記第２の鏡による反射光が第２の地点に向かうように方向調整を行う工程と、
前記第２の鏡の方向調整が完了した後、前記第１の鏡を操作して、前記暗い像の部分が前記第２の鏡の指標の領域に表示されるように微調整を行う工程と、
第２の地点において、第１の地点から反射される太陽光を確認する工程と、を備えることを特徴とする電波伝搬路見通し試験方法。
【発明の詳細な説明】
【技術分野】
【０００１】
本発明は、マイクロ波無線回線を新設する際の見通し試験（ミラー試験）に適用される、電波伝搬路見通し試験装置及び電波伝搬路見通し試験方法に関する。
【背景技術】
【０００２】
マイクロ波無線回線を新設する場合には、対向する２地点の間に電波を遮蔽する障害物がなく、見通しがあるか確認するために見通し試験が実施される。この試験は、図４（ａ）に示すように、第１の地点で太陽光を鏡１００で反射させて反射光を第２の地点に向け、第２の地点のカメラ２００で反射した太陽光を写すことにより、見通しがあることを確認する、という試験である。
【０００３】
この試験においては、第１の地点と第２の地点とにそれぞれ作業員が配置され、第１の地点の作業員が鏡を動かして第２の地点に太陽光を反射させて反射光を第２の地点に向け、第２の地点の作業員がカメラを操作して太陽光を写す、という作業が行われる。そして、カメラが太陽光を写した場合には、見通しがあると確認される。
【０００４】
また、従来におけるこの種の技術としては、特許文献１に記載された技術がある。この公報によれば、太陽光を反射するためのミラーと、このミラーを少なくとも２方向に駆動するミラー自動駆動装置と、ミラー及びミラー自動駆動装置を支持する三脚と、ミラー自動駆動装置を制御する制御装置と、を含む電波伝搬路試験システムについて開示されている。
【先行技術文献】
【特許文献】
【０００５】
【特許文献１】特開昭６０−１６０２３４号公報
【発明の概要】
【発明が解決しようとする課題】
【０００６】
ところで、見通し試験は、特に夏期においては、日没前のような太陽の位置が低い時に実施することによって、作業員の負担を軽減することができる。しかし、太陽の位置が低い場合には、鏡への入射角度が浅くなり、第２の地点に太陽光を反射させるように鏡の向きを調整することが困難になる。
【０００７】
このような場合には、図４（ｂ）に示すように、２枚の鏡１１０、１２０を使用してそれぞれの向きを調整しながら太陽光を第２の地点へ反射させることが考えられる。しかし、２枚の鏡１１０、１２０の向きを調整することは、それぞれの鏡１１０、１２０の向きを合わせる必要があり、技術的難易度が高い。
【０００８】
また、厳冬期のように太陽の位置が低い場合には、２枚の鏡１１０、１２０を使用して見通し試験を行うことが多くなる。しかし、この際、作業員は、寒い環境下で見通し試験を行うことになるため、できるだけ短時間に２枚の鏡の向きの調整が完了できることが望ましい。
【０００９】
本発明は、このような問題点を解決し、２枚の鏡を用いて見通し試験を行う場合に、２枚の鏡の向きの調整を容易に行うことを可能にする電波伝搬路見通し試験装置及び電波伝搬路見通し試験方法を提供することを目的とする。
【課題を解決するための手段】
【００１０】
前記目的を達成するため、本発明は、次に記載する技術を備えている。
【００１１】
（１）  光を反射する第１の鏡と、前記第１の鏡の上方に配置され、前記第１の鏡からの反射光を所定の方向に反射する第２の鏡と、前記第１の鏡及び前記第２の鏡をそれぞれ角度変更可能に支持する架台と、を備え、前記第１の鏡には、光の反射面に光が反射しない目印が設けられており、前記第２の鏡には、前記第１の鏡の反射光における前記目印に対応する暗い像の部分を合わせるための指標が設けられていることを特徴とする電波伝搬路見通し試験装置。
【００１２】
（１）によれば、作業員が、第１の鏡に太陽光を反射させて、第２の鏡に光を向けるように第１の鏡の方向を調整する。このとき、第１の鏡からの反射光による像において反射しない目印によって形成される暗い像の部分と、第２の鏡の指標とが一致するように第１の鏡の方向を調整する。次に、暗い像の部分と指標とが一致した状態を維持しながら第２の鏡の向きを、第２の鏡によって反射された太陽光が目標地点に向かうように調整する。このような作業を行うことにより、電波伝搬路見通し試験装置がある場所から、目標地点に太陽光を容易に向けることが可能になる。その結果、２枚の鏡の方向調整に係る作業の容易化を図るとともに作業時間の短縮化を図ることができる。
【００１３】
（２）  （１）において、前記第２の鏡の前記指標は、磨りガラス状の半透明に形成されていることを特徴とする電波伝搬路見通し試験装置。
【００１４】
（２）によれば、第２の鏡の指標が磨りガラス状の半透明であるため、作業員は、目印部分の像と指標とが一致しているか否かについて、第２の鏡を下からのぞき込むばかりでなく、第２の鏡の上方から確認することが可能になる。これにより、作業員による目印部分の像の確認作業が容易になる。
【００１５】
（３）  （１）又は（２）の電波伝搬路見通し試験装置を用いた、第１の地点から第２の地点における電波伝搬路見通し試験方法であって、第１の地点において、太陽の位置と第２の地点の方向を考慮しながら、前記第１の鏡及び前記第２の鏡の方向を大まかに設定する工程と、前記第１の鏡を操作して、前記暗い像の部分が前記第２の鏡の前記指標の領域に表示されるように方向調整を行う工程と、第２の鏡を操作して、前記暗い像の部分が前記指標の領域に表示されている状態を維持しながら、前記第２の鏡による反射光が第２の地点に向かうように方向調整を行う工程と、前記第２の鏡の方向調整が完了した後、前記第１の鏡を操作して、前記暗い像の部分が前記第２の鏡の指標の領域に表示されるように微調整を行う工程と、第２の地点において、第１の地点から反射される太陽光を確認する工程と、を備えることを特徴とする電波伝搬路見通し試験方法。
【００１６】
（３）によれば、（１）の電波伝搬路見通し試験装置と同様の効果を得ることができる。
【発明の効果】
【００１７】
本発明によれば、２枚の鏡を用いて見通し試験を行う場合に、２枚の鏡の向きの調整を容易に行うことを可能にする電波伝搬路見通し試験装置を提供することが可能になる。
【図面の簡単な説明】
【００１８】
【図１】本発明の一実施形態における電波伝搬路見通し試験装置１の構成を示す斜視図である。
【図２】第１の鏡１０の鏡面を示す平面図である。
【図３】第２の鏡２０の鏡面を示す平面図である。
【図４】見通し試験を示す図である。
【発明を実施するための形態】
【００１９】
以下、本発明の一実施形態について、図面を参照しながら説明する。
図１は、本発明の一実施形態における電波伝搬路見通し試験装置１の構成を示す斜視図である。見通し試験においては、電波伝搬路見通し試験装置１及びカメラ２００（図４参照）が用いられる。電波伝搬路見通し試験装置１は、第１の地点に備えられ、第１の地点から離れた第２の地点に向けて太陽光を反射するものである。また電波伝搬路見通し試験装置１は、第１の鏡１０と、第２の鏡２０と、架台３０と、を備えている。カメラ２００（図４参照）は、第２の地点に備えられる。
【００２０】
第１の鏡１０は、太陽光を直接受けて反射する鏡面を備えている。
第２の鏡２０は、第１の鏡１０からの反射光を反射する鏡面を備えている。
架台３０は、三脚部３２と、第１の鏡１０を支持する第１支持部３４と、第２の鏡２０を支持する第２支持部３６と、を備えている。三脚部３２は、ベース体４０と、３本の脚体４２と、を有しており、３本の脚体４２の基端部がベース体４０に回動自在に取り付けられている。三脚部３２を地上に設置する際には、作業員が、３本の脚体４２をそれぞれ回動させてベース体４０から斜め方向に広げてから、３本の脚体４２の先端部を地上に載置する。この時、３本の脚体４２の先端部は、地上において正三角形の三点の位置に配置される。
【００２１】
第１支持部３４は、基端部がベース体４０に固定され、下方に延びる支持体３４ａと、支持体３４ａの先端部に固定される自由雲台３４ｂと、によって構成される。
第２支持部３６は、基端がベース体４０に固定され、上方に延びる支持体３６ａと、支持体３６ａの先端に固定される自由雲台３６ｂと、によって構成される。
【００２２】
そして、自由雲台３４ｂに第１の鏡１０を固定し、自由雲台３６ｂに第２の鏡２０を固定することにより、電波伝搬路見通し試験装置１が組み立てられる。電波伝搬路見通し試験装置１が地上に設置された場合、第２の鏡２０は第１の鏡１０の上方に位置している。第１の鏡１０及び第２の鏡２０は、自由雲台３４ｂ、３６ｂによって任意の方向に角度を変更することが可能である。
【００２３】
図２は、第１の鏡１０の鏡面を示す平面図である。第１の鏡１０の鏡面中央には、十字形の目印１０ａが設けられている。この目印１０ａの領域においては光が反射されない。このため、仮に、第１の鏡１０によって太陽光を反射してその反射光を、例えばスクリーンに照射した場合、スクリーンには、目印１０ａに対応する暗い十字形の模様を中央に有する像が形成される。
【００２４】
図３は、第２の鏡２０の鏡面を示す平面図である。第２の鏡２０の鏡面中央には、円形の指標２０ａが設けられている。この指標２０ａの領域は磨りガラス状に形成されており、半透過性を有している。更に、指標２０ａに入射した光の一部は、第２の鏡２０の裏面側から出射される。
【００２５】
指標２０ａの領域は磨りガラス状であるため、第１の鏡１０からの太陽光の反射光を第２の鏡２０の鏡面が受けた場合、第１の鏡１０の目印１０ａに対応する十字形の模様を、指標２０ａの領域に表示させることが可能になる。しかも、第２の鏡２０の鏡面における指標２０ａの裏側からも十字形の模様を認識することが可能になる。なお、本実施形態によれば、指標２０ａは直径２〜３ｃｍ程度であり、鏡面の大きさ比べ相対的に小さいので、反射光への影響も小さく、見通り試験を適切に行うことが可能である。
【００２６】
次に、本実施形態の電波伝搬路見通し試験装置１を用いた見通し試験の手順について説明する。
マイクロ波無線回線を新設する予定の２地点における一方の地点（第１の地点）に、電波伝搬路見通し試験装置１及び作業員を配置する。他方の地点（第２の地点）に、カメラ２００（図４参照）を操作する作業員を配置する。
【００２７】
第１の地点の作業員は、まず、太陽の位置と第２の地点の方向を考慮しながら、第１の鏡１０及び第２の鏡２０の方向を大まかに設定する。
【００２８】
次に、作業員は、第１の鏡１０を操作して、目印１０ａに対応する十字形の模様が第２の鏡２０の指標２０ａの領域に表示されるように方向調整を行う。
【００２９】
次に、作業員は、第２の鏡２０を操作して、十字形の模様が第２の鏡２０の指標２０ａの領域に表示されている状態を維持しながら、第２の鏡２０による反射光が第２の地点に向かうように方向調整を行う。
【００３０】
第２の鏡２０の方向調整が完了した後、作業員は、第１の鏡１０を操作して、目印１０ａに対応する十字形の模様が第２の鏡２０の指標２０ａの領域に表示されるように微調整を行う。すなわち、太陽の移動とともに指標２０ａの領域における十字形の模様の表示位置がずれてくるため、そのずれを調整する作業を行う。これにより、第２の地点に向かう反射光が一定の光路を通るように維持することが可能になる。
【００３１】
そして、第２の地点の作業員は、第１の地点から送られる太陽光を確認することができた場合に、第１の地点が光っている状態をカメラ２００（図４参照）で撮影する。以上により、見通し試験が終了する。
【００３２】
以上説明したように構成された本実施形態によれば、見通し試験を行う際に、太陽、第１の鏡１０、第２の鏡２０、目標地点（第２の地点）を結ぶ光路を容易に作ることが可能になり、しかもその光路を容易に維持することが可能になる。これにより、難易度の高い２枚の鏡の調整作業を１人の作業員でも容易に行うことが可能になる。更に、見通し試験に要する時間を短縮させることが可能になり、作業員の負担を軽減することが可能になる。また、目標地点に一度光路を合わせてしまうことにより、それ以降は、太陽が時間とともに動いても、第１の鏡１０のみ操作によって方向調整が容易に可能になる。また、電源等は不要で軽量であるため、山中での作業であっても作業負担を軽減することが可能になる。
【００３３】
また、本実施形態によれば、第２の鏡２０の指標２０ａが磨りガラス状の半透明であるため、作業員は、十字形の像を、第２の鏡２０を下からのぞき込むばかりでなく、第２の鏡２０の上方から確認することが可能になる。これにより、作業員による十字形の像の確認作業が容易になる。
【００３４】
以上、本発明の実施形態について説明したが、本発明の実施形態は上述した実施形態に限るものではない。例えば、上述した実施形態によれば目印１０ａを十字形に形成しているが、それに限らず、例えば単なる点であってもよい。また、上述した実施形態によれば、指標２０ａを磨りガラス状に形成しているが、指標２０ａに目印１０ａに対応する十字形の模様が表示されるのであれば、指標２０ａが磨りガラス状でなくてもよい。例えば、第２の鏡２０の鏡面に目印１０ａを合わせるためのマークを付け、このマークと目印を合わせることで、角度調整を行うようにしてもよい。
【符号の説明】
【００３５】
１  電波伝搬路見通し試験装置
１０  第１の鏡
１０ａ  目印
２０  第２の鏡
２０ａ  指標
３０  架台
３２  三脚部
３４  第１支持部
３４ａ  支持体
３４ｂ  自由雲台
３６  第２支持部
３６ａ  支持体
３６ｂ  自由雲台
４０  ベース体
４２  脚体
１００、１１０、１２０  鏡
２００  カメラ
【図１】
0006569443.tif 000002
【図２】
0006569443.tif 000003
【図３】
0006569443.tif 000004
【図４】
0006569443.tif 000005